【事件の表示】
　特許第３１９２７８０号「ツイステッドネマチック液晶表示素子」の請求項１、２に係る特許に対する特許異議の申立てについて、次のとおり決定する。
【結　論】
　訂正を認める。
　特許第３１９２７８０号の請求項１ないし２に係る特許を取り消す。
【理　由】
１．手続の経緯
　本件特許第３１９２７８０号は、平成４年１０月２１日に出願され（国内優先権主張 平成４年９月２２日）、平成１３年５月２５日にその特許の設定の登録がなされ、その後、太田 恵三により特許異議の申立がなされ、取消理由通知がなされ、その指定期間内の平成１４年６月１４日付けで訂正請求がなされ、取消理由通知（２回目）がなされ、その指定期間内の平成１４年１２月２０日付けで先の訂正請求（平成１４年６月１４日付け）が取り下げられると共に、新たな訂正請求がなされたものである。
　
２．訂正の適否について
2．1　訂正の内容
　平成１４年１２月２０日付けの訂正請求書による訂正事項は、下記のとおりである。
ａ．特許請求の範囲の記載を次のとおりに訂正する。
「【請求項１】
　電極付き基板間にほぼ９０°ねじれたネマチック液晶層を挟持し、配向制御膜が備えられ、偏光板を配置してなるツイステッドネマチック液晶表示素子において、該液晶層は０．１〜５重量％の高分子架橋体を含み、該高分子架橋体が液晶性モノマーをその重合成分として含むものであり、レーザーのアニールによって非晶質シリコンから形成されパターニングされた多結晶シリコンを含むＴＦＴ素子が備えられたことを特徴とするツイステッドネマチック液晶表示素子。
【請求項２】
　カラーフィルタが備えられた請求項１に記載のツイステッドネマチック液晶表示素子。」
　
ｂ．明細書の段落【０００６】の記載を次のとおりに訂正する。
「【課題を解決するための手段】
　本発明は上述の問題点を解決するためになされたものであり、電極付き基板間にほぼ９０°ねじれたネマチック液晶層を挟持し、配向制御膜が備えられ、偏光板を配置してなるツイステッドネマチック液晶表示素子において、該液晶層は０．１〜５重量％の高分子架橋体を含み、該高分子架橋体が液晶性モノマーをその重合成分として含むものであり、レーザーのアニールによって非晶質シリコンから形成されパターニングされた多結晶シリコンを含むＴＦＴ素子が備えられたことを特徴とするツイステッドネマチック液晶表示素子を提供するものである。」
　
ｃ．明細書の段落【００２８】の記載を次のとおりに訂正する。
「本発明においては、必要に応じて電極の上又は下にＳｉＯ2 、ＴｉＯ2 等の絶縁膜、位相差膜、反射膜、光導電膜等が形成されていてもよい。特にＴＦＴを設けて駆動される場合には、前記のリバースチルトが起こりやすいため、本発明による効果が大きい。」
　
2．2　訂正の目的の適否、新規事項の有無及び拡張・変更の存否
（１）上記訂正事項ａ
（1-1）請求項１において、「ツイステッドネマチック液晶表示素子」を「配向制御膜が備えられ、偏光板を配置してなるツイステッドネマチック液晶表示素子」に限定し、さらに、該液晶表示素子を「レーザーのアニールによって非晶質シリコンから形成されパターニングされた多結晶シリコンを含むＴＦＴ素子が備えられたことを特徴とするツイステッドネマチック液晶表示素子」に限定するものであるから、特許請求の範囲の減縮を目的とするものに該当し、これらは特許明細書の段落【００２９】、段落【００４０】〜段落【００４１】、段落【００３１】、段落【００４５】、段落【００３９】、段落【００４０】に記載されている事項であるから、願書に添付した明細書に記載した事項の範囲内においてするものであり、実質上特許請求の範囲を拡張し又は変更するものには該当しない。
　
（1-2）請求項２において、「カラーフィルタが備えられた」を加入する点は、訂正前の【請求項２】の「ツイステッドネマチック液晶表示素子」の構成をさらに限定するものであるから、特許請求の範囲の減縮を目的とするものに該当し、特許明細書の段落【００３２】に記載されている事項であるから、願書に添付した明細書に記載した事項の範囲内においてするものであり、実質上特許請求の範囲を拡張し又は変更するものには該当しない。
　
（２）上記訂正事項ｂ、ｃ
　上記訂正事項ｂ、ｃは、上記ａの訂正に伴い、特許請求の範囲の記載と発明の詳細な説明の記載との整合を図るための訂正であるから、明りょうでない記載の釈明を目的とするものに該当し、これらは願書に添付した明細書に記載した事項の範囲内においてするものであり、実質上特許請求の範囲を拡張し又は変更するものには該当しない。　　　　　　　　　　　　　
　
2．3　むすび
　したがって、上記訂正は、特許法第１２０条の４第２項及び同条第３項において準用する平成６年改正法による改正前の特許法第１２６条第１項ただし書き、及び第２項の規定に適合するので、当該訂正を認める。
　
３．特許異議申立ての理由の概要
　特許異議申立人は、甲第１号証（特開平４−２２７６８４号公報）、甲第２号証（特開平５−２２４１８７号公報）及び甲第３号証（特開平５−２７２４２号公報）を提出して、訂正前の請求項１、２に係る発明は、甲第１号証に記載された発明であり、或いは、該発明から当業者が容易に発明をすることができたものであるから、上記の請求項１及び２に係る発明についての特許は、特許法第２９条第１項、或いは第２項の規定に違反してされたたものであり取り消すべきである旨、又は、上記の請求項１、２に係る発明は、甲第２号証、或いは、甲第３号証に係る、それぞれの先願明細書に記載された発明であるから、上記の請求項１及び２に係る発明についての特許は、特許法第２９条の２の規定に違反してされたものであり、取り消すべきである旨、各主張している。
　
４．本件発明
　本件の請求項１及び請求項２に係る発明（以下、夫々「本件発明１」及び「本件発明２」という。）は、訂正明細書（平成１４年１２月２０日付）の特許請求の範囲に記載される次のとおりのものである。
　
「【請求項１】
　電極付き基板間にほぼ９０°ねじれたネマチック液晶層を挟持し、配向制御膜が備えられ、偏光板を配置してなるツイステッドネマチック液晶表示素子において、該液晶層は０．１〜５重量％の高分子架橋体を含み、該高分子架橋体が液晶性モノマーをその重合成分として含むものであり、レーザーのアニールによって非晶質シリコンから形成されパターニングされた多結晶シリコンを含むＴＦＴ素子が備えられたことを特徴とするツイステッドネマチック液晶表示素子。
【請求項２】
　カラーフィルタが備えられた請求項１に記載のツイステッドネマチック液晶表示素子。」
　
５．引用発明
　当審で通知した取消理由で引用した本件出願の優先権主張日前の出願であって、本件出願の優先権主張日後に出願公開がされた特願平３−３４３１６９号の願書に最初に添付した明細書及び図面（以下、「先願明細書」という。特許異議申立人の提出に係る甲第３号証（特開平５−２７２４２号公報）参照。）には、下記ａ〜ｈの記載がある。
　
ａ．「【請求項１】　駆動電極と配向膜を積層形成した一対の透明基板を、狭い空間を隔てて対向させ、該空間に液晶を注入封止して液晶セルを設けてなる液晶表示装置において、液晶分子が基板面の垂直軸に沿ってツイスト状態、あるいは基板面に対してホメオトロピック、ホモジニアス状態になって配列されており、更に基板面に平行でかつ基板からの任意の距離にある液晶層の平面内の液晶分子の配列が、該平面内で不規則に配列されていることを特徴とする液晶表示装置。
　　・・・
　　【請求項３】　液晶分子配列を乱す材料が添加されている請求項１の液晶表示装置。
　　【請求項４】　液晶分子配列を乱す材料が、ネットワーク状物質である請求項３の液晶表示装置。
　　・・・
　　【請求項７】　ネットワーク状物質が有機ポリマーからなる特徴とした請求項４の液晶表示装置。
　　【請求項８】　ネットワーク状物質が光重合性ポリマーである請求項１の液晶表示装置。
　・・・
　　【請求項１６】　液晶セル中に液晶分子配列のねじれを乱す材料が、０．１〜２０重量％配合されている請求項１の液晶表示装置。
　　・・・」（【特許請求の範囲】）
　
ｂ．「【０００３】従来、液晶表示装置は、一般に以下に示すように構成されている。すなわち図２３は液晶表示装置の構成例を示す分解斜視図で、たとえば、単純マトリクス型液晶表示装置の場合の例である。図中、１０は液晶セルで、たとえば、ガラス板からなる透明基板１の上に、ここには図示していない、たとえば、ＩＴＯ（Ｉｎ2Ｏ3−ＳｎＯ2 ）膜からなるストライプ状の駆動電極と、たとえば、ポリイミド樹脂膜からなる配向膜とを積層形成したものを２枚体面させ、その間に形成された空間に液晶５を注入封止したものである。・・・７ａ，７ｂはそれぞれ偏光板であり、液晶セル１０の両側に、たとえば、実線矢印で示した光軸方向を直交させて配置してある。・・・・
【０００５】したがって、図示してない駆動制御回路で各画素ごとに印加電圧をＯＮ−ＯＦＦ制御することにより明暗による画像表示が行われるのである。・・・」（【０００３】〜【０００５】）
　
ｃ．「【０００７】【発明が解決しようとする課題】・・・　
【０００８】以上の例のように印加する電界を一様に大きくしていっても、視角方向によって透過率、したがって、コントラストが異なり、さらに、場合によっては透過率に極大値（表示の反転現象）Ｍが生じるようなことさへ起こってしまう。
【０００９】　このような表示の反転現象は、前記図２４（Ｂ）に示したごとく視角方向によって液晶分子５０の配向方向が異なって見え、したがって、透過光の偏光状態が同じように変化してこないことが原因である。このような表示の反転現象は液晶表示装置、とくに、大画面・高性能の液晶表示装置の表示性能を阻害すると言う重大な問題を生じており、その解決が求められている。」（【０００７】〜【０００９】）
　
ｄ．「【００１０】【課題を解決するための手段】　本発明は、かかる従来の問題を解決することを目的とする。かかる目的達成のため本発明は、駆動電極と配向膜を積層形成した一対の透明基板を、狭い空間を隔てて対向させ、該空間に液晶を注入封止して液晶セルを設けてなる液晶表示装置において、液晶分子が基板面の垂直軸に沿ってツイスト状態になって配列されており、更に基板面に平行でかつ基板からの任意の距離にある液晶層の平面内の液晶分子の配列が、該平面内で不規則に配列されていることを特徴とする。」（【００１０】）
　
ｅ．「【００１２】　本発明の液晶表示装置の好ましい第一の態様は、駆動電極と配向膜を積層形成した一対の透明基板を狭い空間を挟んで対向させ該空間に液晶を注入封止して液晶セルを設けてなる液晶表示装置において　液晶層中に液晶分子配列のねじれを乱す材料、例えばポリマー等を添加し、ネットワーク状物質を形成する。このように液晶層中にネットワーク状物質を形成することにより以下に説明するように基板面に平行な面内の液晶分子配列を乱し不規則にすることができる。・・・さらに、具体的には前記ネットワーク状物質を有機ポリマー、とくに、光重合性ポリマーで形成することが好ましい。　使用できる有機ポリマーの例として、ポリメチルメタクリレート、ポリスチレンメラミン樹脂、尿素樹脂、およびフェノール樹脂、ポリジイソプロピルフマレート等が挙げられる。光重合性ポリマーの例としてポリウレタンアクリレート、ポリエステルアクリレート、エポキシアクリレート、およびポリエーテルアクリレート等が挙げられる。　・・・図１および図２は上記本発明の原理を説明する図である。・・・
【００１３】　すなわち、本発明によればラビングにより液晶がツイストするように処理した配向膜を持つ液晶セル１０の液晶５層中に形成したネットワーク状物質６によって、液晶分子５０の配向方向を液晶５層全体にわたって充分に分散させることができる。すなわち、液晶分子の配向が視角方向に対して平均化されるので、見かけ上の透過率−印加電圧特性で極大値は平均化されて異常な表示の反転現象がなくなり表示性能が改善されるのである。この液晶分子配列のねじれを乱す物質、例えばポリマーの添加量について考察する。・・・液晶層中へのポリマー量は０．１〜２０重量％の範囲内としなければならない。」（【００１２】〜【００１３】）
　
ｆ．「【００１４】更に本発明の好ましい第二の態様は、液晶分子配列のねじれを乱す材料、例えば前記ネットワーク状物質の屈折率（ｎep, ｎop）を液晶の屈折率（ｎec, ｎoc）と同レベルにし（具体的には両者の屈折率の差を±０．１以内とし）、ネットワーク状物質の分子配列が液晶の分子配列に対応するように形成する。このようなネットワーク状物質の分子配列は、その形成時に駆動電極２間に印加する電圧の有無によって付与することができる。　そして、前記ネットワーク状物質を第一の態様と同様に有機ポリマー、とくに、光重合性ポリマーを用いて好ましく形成する。・・・　すなわち、このような構成のネットワーク状物質６ｄを液晶５の中に形成することにより、両者の界面での光の反射散乱を防止することができ、たとえば、交差配置した偏光板７ａ，７ｂ間に液晶セル１０を挿入した場合の電圧印加によるＯＦＦ表示（暗表示）時の光量が最小に抑えられるので、コントラトの高い液晶表示装置を得ることが可能となる。　このような第二の態様発明の具体例として、光重合性ポリマーであるポリウレタンアクリレート（ノーランド社（製）ＮＯＡ６５，ｎ＝１．５２４）およびネマティック液晶（メルク社（製）ＭＪ−６２８７７，ｎ＝１．４８５８）（カイラル剤を添加してＴＮ液晶とする）が挙げられ、更に他の組合わせの例として該液晶性紫外線硬化樹脂として1,4-phenylene bis 4- 6-(acryloyloxy)hexyloxy benzoate （１） (Makromol. Chem. 190, 2255-2268 (1989))　　【化１】・・・およびネマティック液晶Ｅ７（メルク社（製）、ｎｏ＝１．５２２，ｎｅ＝１．７４６）（カイラル剤を添加してＴＮ液晶とする）が挙げられる。」（【００１４】）
　
ｇ．「【００１７】【実施例】
　実施例１　実施例１は、本発明の好ましい第一の態様を説明する。　図６はこの態様の一例を示す図である。・・・６ａはネットワーク状物質である。　基板１として、たとえば、３５０×４００mmの２枚のガラス基板を用いそれぞれ駆動電極２および配向膜３などを形成したあと、図示してないスペーサを挟んで両基板をシール層で封着する。なお、配向膜は予じめ所定方向にラビング処理する。　基板間に形成された空間に注入する液晶５として、ＴＮ型液晶（ネマック液晶（メルク社製ＭＪ−６２８７７）９９．５重量％およびカイラル剤コレステリックナノエート０．５重量％を用いるが、その中にネットワーク状物質６ａを形成するための調合を行う。　上記ＴＮ型液晶に、たとえば、アクリル系の紫外線硬化性のプレポリマー（大日本インキ（株）製ＨＸ−６２０）を３重量％と光重合開始剤を前記紫外線硬化性のプレポリマに対して３重量％を加え、９０℃以上の温度で一様になるまでよく攪拌する。　そして、この混合物を高温に保持したまゝ前記液晶セル１０の空間に注入し封止する。次いで、液晶セルを９０℃に保持したまゝ、紫外線硬化性のプレポリマの重合が完了するまで紫外線を照射する。この場合、紫外線の強度を弱くして照射時間を長くする方がネットワーク形成に効果的である。　これにより図６に図示したごときネットワーク状物質６ａが液晶５層中に適当な密度で一様に形成される。なお、本実施例のアクリル系の紫外線硬化性ポリマは透明度が高く全体的な明るさには大きな影響がなかった。・・・
【００１９】　上記例ではいずれも単純マトリクス型液晶表示パネルについて図示説明したが、本発明はアクティブマトリクス型液晶表示パネルや、その他の液晶表示パネル、たとえば、電界を印加してない時に液晶層内の大部分の液晶分子が界面の規制力により、ホモジェニアス、ホメオトロピック状態などの配向が揃った状態であり、電界を印加した時に電界と液晶分子の分極との相互作用により配向が揃った他の状態となるような液晶表示パネルに対しても適用できる。　また、本発明の趣旨に反しない限り、ネットワーク状物質６やその他のパネル構成材料なども上記実施例のものに限定されるものではなく、その他の素材や製造プロセス、あるいは、それらの組み合わせによって本発明を実現してよいことは言うまでもない。　以上説明したように、第一の態様発明によれば液晶セルの液晶層中に形成したネットワーク状物質によって、液晶分子の配向方向を液晶５層全体にわたって充分に分散させることができる。すなわち、液晶分子の配向が視角方向に対して平均化されるので、見かけ上の透過率−印加電圧特性での極大値は平均化されて異常な表示の反転現象がなくなり、液晶表示装置の性能、および品質が著るしく向上する。
　実施例２　本実施例は液晶分子配列のねじれを乱す材料を、液晶の屈折率と同じレベルにし、該材料の分子配列が液晶の分子配列に対応するように形成した例（前記第２の態様）である。
【００２０】　図１０は第２の態様発明の作製方法の一例を示す図で、前記図３で説明した例の表示装置を作製するための具体的な方法の主な工程を図示したものである。　先ず、基板１として、たとえば、３５０×４００mmの２枚のガラス基板を用いそれぞれ駆動電極２および配向膜３などを形成したあと、図示してないスペーサを挟んで両基板をシール層４で封着して空セルを形成する〔同図（１）〕。尚、配向膜は予じめ所定方向にラビング処理されている。
【００２１】　次いで、基板間に形成された空間に液晶層形成用混合物５００を注入し、図示してない注入口を封止する。液晶層形成用混合物５００としては、液晶５としての、通常よく用いられるＴＮ型液晶（例えばネマティク液晶（メルク社製ＭＪ−６２８７７，ｎ＝１．４８５５）９９．５重量％およびカイラル剤コレステリックナノエイト０．５重量％）に、液晶５の屈折率（ｎec, ｎoc）と同レベルの屈折率を有するネットワーク状物質６ｄを形成する液晶性紫外線硬化樹脂のプレポリマー例えば、ポリメチルメタクリレート（大日本インキ社製ＨＸ−６２０，ｎ＝１．４６８）を３重量％と光重合開始剤を前記液晶性紫外線硬化樹脂のプレポリマに対して３重量％を加え、９０℃以上の温度で一様になるまでよく攪拌した混合物を保持したまゝ基板間に注入した〔同図（２）〕。　そして、前記液晶層形成用混合物５００を注入封止した液晶セルを９０℃に保持したまゝ、駆動電極２間に接続された電源２０、たとえば、交流電源のスイッチ２１を閉じて、たとえば、５０ｖの電圧を１０分間印加する。この電圧印加の途中で液晶性紫外線硬化樹脂のプレポリマの重合が完了する時間だけ図示したごとく透明基板１を通して紫外線を照射する。こうして、電圧を印加しながら光重合を行うことによりネットワーク状物質６ｄの分子６０を基板面に垂直に揃えて配列することができる〔同図（３）〕。　なお、液晶表示パネル作成の際、電圧を印加しないで上記液晶性紫外線硬化樹脂のプレポリマを含む液晶層形成用混合物５００の光重合を行った場合には、ネットワーク状物質６ｄの分子６０がツイスト配列する。従って、パネル作成後の表示の時、電圧が印加されない場合には、液晶５とネットワーク状物質６ｄとの界面での光反射を防止でき、たとえば、偏光板７ａ，７ｂを平行配置して洩れ光を最小に抑えて同様にコントラストの高い液晶表示装置を構成することができる。
【００２２】　なお、上記例ではいずれも液晶セル１０の主要部について図示したが、それらの両側には偏光板７ａ，７ｂが配置されて液晶表示パネルが構成されることは言うまでもない。　以上説明したように、第２の態様発明においては液晶層にネットワーク状物質を形成したものであるから、液晶分子の配向方向が液晶全体にわたって充分に分散され、この結果、液晶分子の配向が視角方向に対して平均化されるので、見かけ上の透過率−印加電圧特性での極大値は平均化されて異常な表示の反転現像がなくなると共に更にこのネットワーク状物質の屈折率と液晶の屈折率を同一レベルにあるように構成したものであるから、コントラストが高く、すなわち視覚特性が更に秀れた液晶表示を得ることが可能となる。」（【００１７】〜【００２２】）　
ｈ．【図６】及び【図１０】には、電極付き基板間にネマチック液晶層を挟持し、配向制御膜が備えられてなるツイステッドネマチック液晶表示素子であって、該液晶層はネットワーク状物質を含むものであるツイステッドネマチック液晶表示素子が図示されている。また、偏光板７ａ，７ｂを平行配置して洩れ光を最小に抑え、コントラストの高い液晶表示装置を構成することができる旨の説明もなされている（【００２１】）。
　因みに、上記ネットワーク状物質は、液晶セル中への添加量は、０．１〜２０重量％であり（【請求項１６】、【００１３】）、光重合性ポリマーをその重合成分として含むものである（【００１２】、【００１４】、【００１７】【００２１】）。　
　
　したがって、上記によれば先願明細書には、「電極付き基板間にネマチック液晶層を挟持し、配向制御膜が備えられ、偏光板を配置してなるツイステッドネマチック液晶表示素子において、該液晶層は０．１〜２０重量％のネットワーク状物質を含み、該ネットワーク状物質は光重合性ポリマーをその重合成分として含むものであるツイステッドネマチック液晶表示素子」の発明（以下、「先願発明」という。）が記載されている。
　
５．対比・判断
5．1　本件発明１について
（１）　本件発明１と先願発明を対比すると、
　先願発明の「ネットワーク状物質」（架橋状物質）は、光重合性ポリマーを基板間に注入した液晶層中で光硬化せしめることにより形成され、該ネットワーク状物質の形成によって液晶分子配列のねじれを乱し、液晶分子の配向方向を液晶層全体にわたって充分に分散せしめ、異常な表示の反転現象をなくするものであるから（先願明細書【００１２】〜【００１４】、【００１７】〜【００２２】）、本件発明１の「高分子架橋体」に相当するものと認められる。
　また、ネマチック液晶層は、ほぼ９０°のねじれ角を有するのが通常である。
　したがって、両者は、「電極付き基板間にほぼ９０°ねじれたネマチック液晶層を挟持し、配向制御膜が備えられてなるツイステッドネマチック液晶表示素子において、該液晶層は０．１〜５重量％の高分子架橋体（ネットワーク状物質）を含むものであることを特徴とするツイステッドネマチック液晶表示素子。」の点で一致し、
　　
ａ．本件発明１では、「高分子架橋体」は、「液晶性モノマー」をその重合成分として含むものであるのに対して、先願発明の「ネットワーク状物質」（高分子架橋体）は、「光重合性ポリマー」をその重合成分として含むものである点、
　　
ｂ．本件発明１の「液晶表示素子」は、レーザーのアニールによって非晶質シリコンから形成されパターニングされた多結晶シリコンを含むＴＦＴ素子が備えられてなるものであるのに対して、先願発明の「液晶表示素子」は上記ＴＦＴ素子を具備しているものを含むのか否か明確でない点、
　
で一応相違する。
　
（２）　上記相違点について検討する。
　
（相違点ａについて）
　先願明細書によれば、ネットワーク状物質（高分子架橋体）の形成には、「光重合性ポリマー」が用いられ、該「光重合性ポリマー」としては、「ポリウレタンアクリレート」や「液晶性紫外線硬化樹脂」が用いられる旨、記載されている（先願明細書【００１４】）。この内、「液晶性紫外線硬化樹脂」である「1,4-phenylene bis 4- 6-(acryloyloxy)hexyloxy benzoate」（先願明細書【化１】）は、化学構造からみて、本件発明１の「液晶性モノマー」に他ならない（本件特許明細書【００１５】〜【００１６】記載の【化２】で示される「ジアクリレート類」参照）。したがって、先願発明のネットワーク状物質（高分子架橋体）は、「液晶性モノマー」をその重合成分とするものを含む、と認められる。
　　
（相違点ｂについて）
　先願明細書には、「本発明はアクティブマトリックス型液晶表示パネル・・・に対しても適用できる。」（【００１９】）との記載があり、該「アクティブマトリックス型液晶表示パネル」において、ＴＦＴ等の駆動素子を用いることは常套手段であるから、先願発明の液晶表示素子には、ＴＦＴ素子が備えられているものを当然に含むと認められる。そして、先願の出願時において、「レーザーのアニールによって非晶質シリコンから形成されパターニングされた多結晶シリコンを含むＴＦＴ素子」は、ＴＦＴ素子として一般的なものであったから（例えば、特開平４−２５０６１７号公報【００１９】〜【００２３】、特開平４−７６９１２号公報 第２頁左上欄第９行〜第１８行、特開平３−２９３７３１号公報 第３頁左上欄第１４行〜同頁右上欄第１８行）、先願発明の「液晶表示素子」には「レーザーのアニールによって非晶質シリコンから形成されパターニングされた多結晶シリコンを含むＴＦＴ素子が備えられてなるもの」を当然に含むと認められる。
　
　よって、上記相違点ａ、ｂは実質的な相違点であるとは認められないから、本件発明１と先願発明とは同一である。
　
5．2　本件発明２について
　本件発明２は、本件発明１に係るツイステッドネマチック液晶表示素子について、カラーフィルタが備えられたものであることに限定するものであるが、このようなカラーフィルタの具備の点は、液晶表示素子のカラー化技術として、先願発明のような高性能表示装置に一般的に採用されていた周知慣用手段であるから（必要なら、シャープ株式会社液晶事業本部編「液晶ディスプレイ その概要と応用市場」（平成３年９月１日 株式会社ラジオ技術社発行）第７３〜７５頁参照。）、この点に格別の技術的差異を認めることはできず、上記（5．1）と同様な理由により、本件発明２と先願発明とは同一である。
　　　　　　　　　　　　　　　 　
６．むすび
　以上のとおりであるから、本件特許の請求項１及び２に係る発明は、当該特許出願の優先権主張日前の他の特許出願であって、当該特許出願の優先権主張日後に出願公開がされた特許出願の願書に最初に添付した明細書又は図面に記載された発明と同一であり、しかも、当該特許出願の発明者が前記他の特許出願に係る発明をした者と同一ではなく、また当該特許出願の時において、その出願人が前記他の特許出願の出願人と同一でもないので、本件の請求項１及び２に係る特許は、特許法第２９条の２第１項（平成２年改正法）の規定に違反してされたものであるから、拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月２２日（２００３．１．２２）
【訂正の要旨】
▲１▼訂正事項ａ
　特許掲載公報の明細書の特許請求の範囲の記載を次のとおり訂正する。
「【請求項１】
　電極付き基板間にほぼ９０°ねじれたネマチック液晶層を挟持し、配向制御膜が備えられ、偏光板を配置してなるツイステッドネマチック液晶表示素子において、該液晶層は０．１〜５重量％の高分子架橋体を含み、該高分子架橋体が液晶性モノマーをその重合成分として含むものであり、レーザーのアニ−ルによって非晶質シリコンから形成されパターニングされた多結晶シリコンを含むＴＦＴ素子が備えられたことを特徴とするツイステッドネマチック液晶表示素子。
　【請求項２】
　カラーフィルタが備えられた請求項１に記載のツイステッドネマチック液晶表示素子。」
▲２▼訂正事項ｂ
　明細書の【０００６】に係る記載を次のとおり訂正する。
「【課題を解決するための手段】
　本発明は上述の問題点を解決するためになされたものであり、電極付き基板間にほぼ９０°ねじれたネマチック液晶層を挟持し、配向制御膜が備えられ、偏光板を配置してなるツイステッドネマチック液晶表示素子において、該液晶層は０．１〜５重量％の高分子架橋体を含み、該高分子架橋体が液晶性モノマーをその重合成分として含むものであり、レーザーのアニ−ルによって非晶質シリコンから形成されパターニングされた多結晶シリコンを含むＴＦＴ素子が備えられたことを特徴とするツイステッドネマチック液晶表示素子を提供するものである。」
▲３▼訂正事項ｃ
　明細書の【００２８】に係る記載を次のとおりに訂正する。
「　本発明においては、必要に応じて電極の上又は下にＳｉＯ２、ＴｉＯ２等の絶縁膜、位相差膜、反射膜、光導電膜等が形成されていてもよい。特にＴＦＴを設けて駆動される場合には、前記のリバースチルトが起こりやすいため、本発明による効果が大きい。」
に訂正する。
（５４）【発明の名称】
ツイステッドネマチック液晶表示素子
（５７）【特許請求の範囲】
　【請求項１】
　電極付き基板間にほぼ９０°ねじれたネマチック液晶層を挟持し
、配向制御膜が備えられ、偏光板を配置し
り、レーザーのアニ−ルによって非晶質シリコンから形成されパターニングされた多結晶シリコンを含むＴＦＴ素子が備えられた
　【請求項２】
　
カラーフィルタ
た
【発明の詳細な説明】
　【０００１】
　【産業上の利用分野】
　本発明はツイステッドネマチック液晶表示素子の改良に関するものである。
　【０００２】
　【従来の技術】
　液晶表示装置は、いわゆるスーパーツイステッドネマチック（ＳＴＮ）モードや薄膜トランジスター（ＴＦＴ）駆動のツイステッドネマチック（ＴＮ）モードの液晶表示素子の開発の進展により、例えば、ワープロやパソコンの表示部品として必要欠くべからざるものになっている。
　【０００３】
　このうち、ＴＦＴ駆動のＴＮ液晶表示素子は、高速、高コントラスト比、多階調を実現するものとして、近年開発が進められている。
　【０００４】
　【発明が解決しようとする課題】
　ＴＦＴ駆動の液晶セルにおいては、高温において画素電極周辺にリバースチルトが発生し、コントラストの低下や視角方向が変化することによる表示品位低下の原因となる場合がある。これらは配向膜界面のプレチルト角が十分に大きくないために発生する現象ではないかといわれている。
　【０００５】
　このような問題点を解決するために、配向膜として適当なものを選択すること、特に、閉環型ポリイミドを採用すること、液晶層厚みと液晶ねじれピッチとの比（ｄ／ｐ）として適当なものを選択することなどの措置が検討されている。しかし、これらの措置では十分にリバースチルトの発生を抑えることは困難であった。
　【０００６】
　【課題を解決するための手段】
　本発明は上述の問題点を解決するためになされたものであり、電極付き基板間にほぼ９０°ねじれたネマチック液晶層を挟持し
、配向制御膜が備えられ、偏光板を配置し
り、レーザーのアニ−ルによって非晶質シリコンから形成されパターニングされた多結晶シリコンを含むＴＦＴ素子が備えられた
　【０００７】
　ここで、高分子架橋体とは重合可能な官能基を分子内に２個以上有するモノマーの単独重合体又は共重合体である。高分子架橋体は重合可能な官能基を分子内に１個有するモノマーと重合可能な官能基を分子内に２個以上有するモノマーとの共重合体であってもよい。ただし、高分子架橋体が液晶中に実質的に溶解しないためには、重合可能な官能基を分子内に２個以上有するモノマーに基づく重合成分の含量は高分子架橋体中に重量で１５％以上であることが好ましい。
　【０００８】
　高分子架橋体の量は、液晶層に対して重量割合で０．１〜５％である。量が０．１％未満であるとリバースチルト発生抑止効果が充分ではなく、５％を超えると、高分子架橋体の存在による光散乱が増えるため好ましくない。光散乱量は高分子架橋体の屈折率にも依存するが、電圧非印加時のヘーズ値で５％以下に抑えられていることが好ましい。
　【０００９】
　高分子架橋体を形成するための重合反応は連鎖重合、重付加などであることが好ましい。一方、重縮合など水などの揮発物が重合中に発生する反応や、液晶特性に悪影響を与える副生物を発生する反応は好ましくない。素子に空隙が発生するおそれや、液晶特性を劣化させるおそれがあるためである。
　【００１０】
　本発明のツイステッドネマチック液晶表示素子を作製するためには、高分子架橋体を形成するモノマー、オリゴマーなどの化合物と液晶とを混ぜ合わせて、溶液状態とした後、これを液晶空セルに注入し、これを光硬化、熱硬化、電子線硬化、２液混合による硬化、冷却による固化などにより高分子架橋体を形成するようにすればよい。
　【００１１】
　特に、光硬化タイプの樹脂を高分子架橋体として用いることにより、熱による影響を受けなく、短時間で固化させることができ好ましい。この場合は、通常０．１〜１０ｍＪ／ｃｍ２程度の紫外線を照射することにより行える。
　【００１２】
　重合可能な官能基を分子内に２個以上有するモノマー、オリゴマーの代表例を以下に述べる。
　【００１３】
　第１の群は化１で示されるスチレン誘導体である。ここで、ｎとｋは０又は１であるが、同時に０とはならない。ｍは０又は１であり、Ａは−ＣＨ２−、−ＣＯ−Ｏ−、−Ｏ−ＣＯ−、−ＣＨ２−ＣＨ２−、−ＣＨ２−Ｏ−、−Ｏ−ＣＨ２−などの連結基を示す。化１の具体的な化合物としてはジビニルベンゼンなどが含まれる。
　【００１４】
　【化１】
　【００１５】
　第２の群は、化２で示されるジアクリレートである。ここで、Ｘは水素原子、フッ素原子又はメチル基である。Ｂはジオールの残基を示している。上記ジアクリレートは、重合により一般にアクリルオリゴマーと称される分子量が５００〜数万の化合物を形成していてもよい。
　【００１６】
　【化２】
　【００１７】
　本発明における高分子架橋体は、液晶性モノマーをその重合性成分として含むものである。こうすることにより、混合溶液ともとの液晶との間のクリヤリングポイントの変化が小さくなり、ひいては、螺旋ピッチの変化も少なくなるからである。
　【００１８】
　【００１９】
　特に、上記液晶性モノマーは、もとの液晶に対してこの液晶性モノマーを３重量％加えた場合の、もとの液晶のクリヤリングポイントに対する混合溶液のクリヤリングポイントの変化が３℃以下であるものが好ましい。これにより、螺旋ピッチの変化をきわめて少なくできるからである。
　【００２０】
　また、高分子架橋体について、液晶性モノマーをその重合成分として含むものとすることにより、重合時に電界を印加しながら、重合することによって、電圧を印加したときにヘーズ値を最小とし、どの角度からみても透明な素子を得ることができるという利点もある。
　【００２１】
　この場合、プレチルト角を大きくする効果もある。従来、プレチルト角を大きくするために、配向膜の改良や液晶の選定が精力的に行われてきたが、例えば、高プレチルト角の配向膜を用いた場合、表示素子面でのプレチルト角のむらが発生しやすく、全面にわたっての均一な表示が困難であった。
　【００２２】
　本発明の液晶表示素子を製造する際、重合時に電界を印加しながら重合することにより、表示素子面でのプレチルト角のむらが発生しにくく全面にわたっての均一な表示が可能となる。
　【００２３】
　重合時印加する電圧は用いる液晶の誘電率異方性、弾性定数や素子の厚みに依存するが、０．３ボルト以上、１５０ボルト以下が好ましい。０．３ボルト以下では、プレチルト角を大きくしてリバースチルトを抑制する効果が得られにくい。上限は原理的には、素子が破壊しない限り、限界がないが、簡便さを考慮すると１５０ボルト以下であればよい。１０ボルト程度でも十分な効果が得られる。
　【００２４】
　重合時印加する電源は直流でも交流でもよい。交流の場合、その周波数は、印加の簡便性から１００ｋＨｚ以下、通常は１０〜１００Ｈｚがよい。
　【００２５】
　高分子架橋体を添加するもとの液晶は、通常にツイステッドネマチック液晶表示素子として用いうるものであれば、いずれも用いうる。
　【００２６】
　またこれらの液晶と高分子架橋体形成用モノマー、オリゴマーの混合物には、光重合などの重合開始剤の他、基板間隔制御用のセラミックス粒子、プラスチック粒子、ガラス繊維などのスペーサー、顔料、色素、粘度調整剤、その他本発明の性能に悪影響を与えない添加剤を添加することができる。
　【００２７】
　上記液晶層を挟持した液晶セルの基本構成は以下のようになる。プラスチック、ガラス等の基板の表面に、所望のパターンでパターニングされたＩＴＯ（Ｉｎ２Ｏ３−ＳｎＯ２）、ＳｎＯ２等の透明電極が設けられて電極付きの基板とされる。電極層は、表示に対応して電極群が対向したマトリクス配置しており、これにより各ドット毎にオンオフを制御可能とされる。電極層の形成方法としては、層厚を均一にする見地から、蒸着法、スパッタ法等が好ましく用いられるが、特にこれに限られない。
　【００２８】
　本発明においては、必要に応じて電極の上又は下にＳｉＯ２、ＴｉＯ２等の絶縁膜、位相差膜
、反
Ｔを
　【００２９】
　この電極付き基板の表面には表面をラビングされたポリイミド、ポリアミド等の膜や、斜め蒸着されたＳｉＯ等の膜からなる配向制御膜が形成される。２枚の上記基板が準備されて、前記した液晶層を挟持するようにされる。
　【００３０】
　なお、電極と配向制御膜との間に基板間短絡防止のためにＴｉＯ２、ＳｉＯ２、Ａｌ２Ｏ３等の絶縁膜を設けたり、透明電極にＡｌ、Ｃｒ、Ｔｉ等の低抵抗のリード電極を併設したりしてもよい。
　【００３１】
　この基板の両外側に一対の偏光板を配置する。この偏光板自体もセルを構成する基板の外側に配置することが一般的であるが、性能が許せば、基板自体を偏光板で構成したり、基板と電極との間に偏光層として設けてもよい。
　【００３２】
　また、カラーフィルターを併用することが可能である。このカラーフィルターは、セル内面に形成することにより、視角によるズレを生じなく、より精密なカラー表示が可能となる。具体的には、電極の下側に形成されてもよいし、電極の上側に形成されてもよい。また、色を補正するためのカラーフィルターや、カラー偏光板を併用したり、液晶層中に色素を添加したり、特定の波長分布を有する照明を用いたりしてもよい。
　【００３３】
　このような構成の液晶セルの電極に電圧を印加するための駆動手段を接続し、駆動を行う。すなわち、基板端部に導出した接続端子部分に、異方性導電ゴムを介したり、ヒートシール、異方性導電接着剤を用いて、フレキシブル基板等からなる外部回路基板を接続したり、ＴＡＢ基板を接続したりする。
　【００３４】
　本発明では透過型でも反射型でも適用可能であり、その応用範囲が広い。なお、透過型で使用する場合には裏側に光源を配置する。光源にも導光体、カラーフィルターを併用できる。さらに、透過型で使用する場合、画素以外の背景部分を印刷等による遮光膜で覆うこともできる。
　【００３５】
　本発明は、この外、本発明の効果を損なわない範囲内で、通常の液晶表示素子で使用されている種々の技術が適用可能である。
　【００３６】
　【作用】
　本発明により、リバースチルトが抑制されたツイステッドネマチック液晶が得られる理由は、必ずしも明らかではないが、以下のように推定される。
　【００３７】
　ＴＦＴ液晶表示素子などにおけるリバースチルトは、電圧印加状態における液晶分子と配向膜界面との微妙なバランスによって、発生の有無が決定される。本発明における高分子架橋体は、液晶セル内にごく弱い３次元網目構造を形成し、見かけ上の配向膜界面を増加させることにより、一種の配向のピン止め作用を得ているものと考えられる。
　【００３８】
　つまり、高分子架橋体は、きわめて細かな欠陥を均一に分布させると共に、液晶と作用して、高温状態又は低温状態において発生する、観察できる程度の配向欠陥を防止する作用があると考えられる。
　【００３９】
　【実施例】
　ガラス基板（コーニング社製７０５９基板）上にクロムを６０ｎｍ蒸着して、パターニングしてゲート電極とした。引き続きシリコンオキシナイトライド膜と非晶質シリコン膜をプラズマＣＶＤ装置で堆積した。これをレーザーを用いてアニールした後、パターニングして多結晶シリコンとした。これにリンドープ非晶質シリコン、クロムを夫々プラズマＣＶＤ、蒸着装置を用いて堆積し、多結晶シリコンを覆うようにパターニングして、第１層目のソース電極、ドレイン電極とした。さらに、ＩＴＯを蒸着した後、パターニングして画素電極を形成した。
　【００４０】
　続いて、クロム、アルミニウムを連続蒸着して、画素電極と第１層目のソース電極、ドレイン電極を接続するようにパターニングして、第２層目のソース電極、ドレイン電極とした。この後、再び、シリコンオキシナイトライド膜をプラズＣＶＤ装置で堆積し保護膜とした。さらにポリイミド膜を０．０６μｍの厚さになるように塗布、焼成して膜形成し、この膜を静電植毛のナイロン糸ラビング布を用いてラビングしてアクティブマトリクス基板を作成した。
　【００４１】
　全面にベタのＩＴＯ電極を形成した後、この上にポリイミド膜を０．０６μｍの厚さになるように塗布、焼成して膜形成し、この膜を静電植毛のナイロン糸ラビング布を用いてラビングした同じガラス基板による対向電極基板と、前に製造したアクティブマトリクス基板とを電極面が対向するように配置し、内部に直径約５．０μｍのスペーサーを散布して、その周辺を注入口部分を除き、エポキシ系のシール材でシールして、基板間隙ｄが約５．０μｍの空セルを製造した。
　【００４２】
　液晶としてメルク社製「ＺＬＩ−４７９２」（商品名）を用い、カイラル剤としてコレステリックノナノエートを所定の量加えたのち、化３の化合物を全体の３重量％と、光重合開始剤としてベンゾインイソブチルエーテル０．０３重量％とを均一に溶解した。
　【００４３】
　【化３】
　【００４４】
　この混合物を、上記方法により製造した空セルに注入口から注入し、注入口を封止した。注入された液晶層はほぼ９０度のねじれを有するようにされた。
　【００４５】
　これに紫外線を３０秒間照射してセル両側に偏光板を配置し、アクティブマトリクス液晶表示素子を作成した。このパネルを７０℃という高温で駆動したところ、従来ＴＦＴ液晶において問題となっていた電極周辺におけるリバースチルトによる配向欠陥がまったくなく良好な特性が得られた。
　【００４６】
　【発明の効果】
　本発明によれば、リバースチルトなどの配向異常のきわめておきにくいＴＮ液晶素子が得られる。特に、リバースチルト欠陥の生じやすい、ＴＦＴ素子において、本発明は有効である。